(57)【要約】【課題】事前に代替音源の登録の準備をすることなく、着信者の状態をリングバックトーンを用いて発信者に通知する。【解決手段】無線電話機を収容する交換機を備える無線電話システムであって、リングバックトーンとして再生するための音響信号を生成する再生装置と、センサによって取得された前記無線電話機の状態を判定する状態判定装置と、テキストデータを読み上げて音声データに変換する変換装置と、を備え、着信側の前記無線電話機は、前記交換機から着信通知を受けた場合、前記センサによってその状態を取得し、前記状態判定装置は、前記センサが取得した前記無線電話機の状態を示すテキストデータを生成し、前記変換装置は、前記生成されたテキストデータを音声データに変換し、前記再生装置は、前記変換装置によって変換された音声データを、リングバックトーンとして発信側の前記無線電話機に送信することを特徴とする無線電話システム。【選択図】図１
2011259079.tif 000002
【特許請求の範囲】
【請求項１】
無線電話機を収容する交換機を備える無線電話システムであって、
前記無線電話機は、その状態を測定するセンサを備えるものであって、
前記無線電話システムは、
前記無線電話機からリングバックトーンとして再生するための音響信号を生成する再生装置と、
前記センサによって取得された前記無線電話機の状態を判定する状態判定装置と、
テキストデータを読み上げて音声データに変換する変換装置と、を備え、
着信側の前記無線電話機は、前記交換機から着信通知を受けた場合、前記センサによってその状態を取得し、
前記状態判定装置は、前記センサが取得した前記無線電話機の状態を示すテキストデータを生成し、
前記変換装置は、前記生成されたテキストデータを音声データに変換し、
前記再生装置は、前記変換装置によって変換された音声データを、リングバックトーンとして発信側の前記無線電話機に送信することを特徴とする無線電話システム。
【請求項２】
前記センサは、読取装置と通信するＩＣタグであって、前記着信側の無線電話機の使用者が所持する読取装置との通信可否を測定し、
前記状態判定装置は、前記ＩＣタグと前記読取装置とが通信できない場合、前記着信側の無線電話機の使用者が無線電話機を持っていないことを示すテキストデータを生成することを特徴とする請求項１に記載の無線電話システム。
【請求項３】
前記無線電話機は、前記センサが取得した状態を示すテキストデータを生成し、前記生成されたテキストデータを前記変換装置に送信することを特徴とする請求項１又は２に記載の無線電話システム。
【発明の詳細な説明】
【技術分野】
【０００１】
本発明は、無線電話システムに関し、特に、リングバックトーンを用いて着信側携帯電話機の状態を発信側携帯電話機へ通知する無線電話システムに関する。
【背景技術】
【０００２】
近年、音声通信において、加入者が指定した代替音源をリングバックトーンに用いることによって、発信者に音楽を聞かせる付加サービスを提供するシステムが実用化されている。このような代替音源を再生するシステムとして、現在位置に対応するリングバックトーンを出力するリングバックトーン制御装置が提案されている（例えば、特許文献１参照。）。すなわち、特許文献１に記載されたリングバックトーン制御装置によると、ユーザ毎にエリア毎にリングバックトーンで再生するための音源の対応表をあらかじめ用意し、ユーザの位置情報に基づいて再生する音源を選択している。
【先行技術文献】
【特許文献】
【０００３】
【特許文献１】特開２００６−７４１３３号公報
【発明の概要】
【発明が解決しようとする課題】
【０００４】
しかし、前述したように、特許文献１に記載されたリングバックトーン制御装置は、ユーザ毎にエリア毎にリングバックトーンで再生するための音源の対応表を用意する必要があった。すなわち、対応表に従って、再生する代替音源を選択するので、再生する音源を動的に生成することができなかった。
【０００５】
また、既存の第三者測位サービスは、測位要求者に通知されるのは位置情報のみであり、着信者の動きや状況を知得することができない。さらに、既存の第三者測位サービスは、ＧＰＳなど位置測位装置を用いて着信者の位置情報を取得しているので、屋内など測位ができない場所では情報を取得することができない。
【０００６】
本発明は、着信者の位置のみならず、着信者の状態（動き、状況など）を取得し、事前に代替音源の登録の準備をすることなく、着信者の状態をリングバックトーンを用いて発信者に通知することを目的とする。
【課題を解決するための手段】
【０００７】
本発明の代表的な一例を示せば以下の通りである。すなわち、無線電話機を収容する交換機を備える無線電話システムであって、前記無線電話機は、その状態を測定するセンサを備えるものであって、前記無線電話システムは、前記無線電話機からリングバックトーンとして再生するための音響信号を生成する再生装置と、前記センサによって取得された前記無線電話機の状態を判定する状態判定装置と、テキストデータを読み上げて音声データに変換する変換装置と、を備え、着信側の前記無線電話機は、前記交換機から着信通知を受けた場合、前記センサによってその状態を取得し、前記状態判定装置は、前記センサが取得した前記無線電話機の状態を示すテキストデータを生成し、前記変換装置は、前記生成されたテキストデータを音声データに変換し、前記再生装置は、前記変換装置によって変換された音声データを、リングバックトーンとして発信側の前記無線電話機に送信する。
【発明の効果】
【０００８】
本発明の実施の形態によると、特別な操作を必要とせず、電話をかけて来た相手に、自動的に自分の状態を教えることができる。さらに、発信者に通知される状態と再生する音声（又は、音楽）との対応表を予め作成せずに、自分の状態を発信者に教えることができる。
【図面の簡単な説明】
【０００９】
【図１】本発明の実施の形態の携帯電話システムの構成を示すブロック図である。
【図２】本発明の実施の形態において、リングバックトーンによって着信側携帯電話機の状態を知らせる処理のシーケンス図である。
【図３】本発明の実施の形態の着信側携帯電話機１０６に備わるセンサ１０７の説明図である。
【図４】本発明の実施の形態の着信側携帯電話機１０６の状態を判定する処理２０８の詳細のフローチャートである。
【発明を実施するための形態】
【００１０】
以下、図面を参照して、本発明の実施の形態について説明する。
【００１１】
図１は、本発明の実施の形態の携帯電話システムの構成を示すブロック図である。
【００１２】
本実施の形態の携帯電話システムは、交換機（ＭＳＣ）１０２、リングバックトーン再生装置１０３、位置測定装置１０４、及び、音声読み上げ装置１０５を備える。交換機１０２は、基地局（図示省略）を介して、発信側携帯電話機１０１及び着信側携帯電話機１０６に接続されている。
【００１３】
交換機１０２は、発信側携帯電話機１０１と着信側携帯電話機１０６とを接続する回線を設定する。
【００１４】
リングバックトーン再生装置１０３は、プロセッサ、メモリ及びインターフェースを備えるコンピュータであり、発信側携帯電話機１０１が発信し、着信側携帯電話機１０６が着信応答するまでの間、発信側携帯電話機１０１から発生する音楽、音声等の音響信号を生成する。このリングバックトーン再生装置１０３は、メモリに記憶されたプログラムをプロセッサが実行することによって機能する。
【００１５】
状態判定装置１０４は、プロセッサ、メモリ及びインターフェースを備えるコンピュータであり、携帯電話機１０１等からの要求に基づいて着信側携帯電話機の状態を判定し、判定された携帯電話機の状態のテキスト情報を出力する。
【００１６】
音声読み上げ装置１０５は、プロセッサ、メモリ及びインターフェースを備えるコンピュータであり、入力されたテキストデータを音声データに変換する。例えば、状態判定装置１０４から出力された状態のテキストデータを音声データに変換し、リングバックトーン再生装置１０３に出力する。この音声読み上げ装置１０５は、メモリに記憶されたプログラムをプロセッサが実行することによって機能する。
【００１７】
携帯電話機１０１、１０６は、無線送受信機、制御部、受話器（レシーバ）及び送話器（マイク）を備える無線通信機であり、無線通信回線（基地局）を介して交換機１０２と接続される。
【００１８】
着信側携帯電話機１０６は、携帯電話機１０６の状態を取得するセンサ１０７を備える。このセンサ１０７は、図３に示すように、加速度センサ３０１や、ＩＣタグ３０２や、位置測位装置３０３を用いることができる。
【００１９】
加速度センサ３０１は、端末の加速度を測定する。加速度センサ３０１によって測定された加速度を、所定の閾値と比較することによって、着信側携帯電話機１０６の保持者の状態を判定できる。ＩＣタグ３０２は、リーダと通信をすることによって取得した情報に基づいて着信側携帯電話機１０６の状態を判定できる。位置測位装置３０３では、ＧＰＳシステムなどの測位システムを用いて、携帯電話機の地理的な位置を取得することができる。
【００２０】
図２は、本発明の実施の形態において、リングバックトーンによって着信側携帯電話機１０６の状態を知らせる処理のシーケンス図であり、発信側携帯電話機１０１が着信側携帯電話機１０６に電話をかけた後、着信側携帯電話機１０６から着信者状態の通知を受け、着信側携帯電話機１０６の着信応答によって、状態通知の再生が停止されるまでの処理を示す。
【００２１】
まず、発信者が、発信側携帯電話機１０１を用いて着信側携帯電話機１０６へ電話をかける。すると、発信側携帯電話機１０１は、ＭＳＣ１０２へ発信する（２０１）。発信３０１要求には、例えば、ＩＳＤＮで使用されるＮｏ．７共通線信号方式のユーザ部であるＩＳＵＰのＩＡＭメッセージ等を用いることができる。
【００２２】
その後、ＭＳＣ１０２は、着信側携帯電話機１０６に着信を通知し（２０３）、リングバックトーン再生装置１０３に再生要求を転送する（２０２）。再生要求３０２には、例えば、ＩＳＵＰのＩＡＭメッセージ等を用いることができる。
【００２３】
着信側携帯電話機１０６は、着呼通知２０３を受信すると、測定要求２０４をセンサ１０７に送信する（２０４）。
【００２４】
センサ１０７は、測定要求２０４を受信すると、取得可能な情報を測定し（２０５）、測定結果を着信側携帯電話機１０６に送信する（２０６）。
【００２５】
着信側携帯電話機１０６は、着信者状態判定に必要な情報として（センサ１０７から取得した測定結果）を状態判定装置１０４に送信する（２０７）。
【００２６】
状態判定装置１０４は、着信側携帯電話機１０６から測定結果２０７を受信すると、受信した測定結果２０７に基づいて、着信側携帯電話機の状態を判定し（２０８）、状態判定完了応答を着信側携帯電話機１０６に送信する（２０９）。また、状態判定装置１０４は、生成された判定情報を音声読み上げ装置１０５に送信する（２１０）。判定情報２１０は、センサ１０７によって得られた着信側携帯電話機の状態のテキストデータを含む。
【００２７】
音声読み上げ装置１０５は、受信した判定情報２１０を音声合成し、音声データを生成する（２１１）。音声データのデータフォーマットは、例えば、Ｇ．７２６  ＡＤＰＣＭフォーマット等によってデジタル化された音データである。音声読み上げ装置１０５は、生成した音声データをリングバックトーン再生装置１０３に送信する（２１２）。
【００２８】
リングバックトーン再生装置１０３は、音声データ３１２を受信すると、ＭＳＣ１０２にＩＡＭの応答をする（２１３）。応答３１３には、例えば、ＩＳＵＰのＡＣＭメッセージ等を用いることができる。リングバックトーン再生装置１０３は、応答３１３を送信した後、発信側携帯電話機１０１に、受信した音声データ３１２を音源ファイルに用いて、リングバックトーンとして着信者の位置を再生する（２１４）。
【００２９】
発信側携帯電話機１０１は、リングバックトーン再生装置１０３によって再生されたリングバックトーン３１４、すなわち、着信側携帯電話機１０６の位置の情報を音響信号として出力する。
【００３０】
その後、着信側携帯電話機１０６が着信応答すると、ＭＳＣ１０２に着信応答を送信する（２１５）。ＭＳＣ１０２は、着信応答２１５を受信すると、リングバックトーン再生装置１０３に音声再生停止を要求する（２１６）。音声再生停止要求２１６には、例えば、ＩＳＵＰのＲＥＬメッセージなどを用いることができる。
【００３１】
図２では、状態判定装置１０４が、着信側携帯電話機１０６の状態を判定する場合を例示したが、着信側携帯電話機１０６が、その状態を判定してもよい。この場合、着信側携帯電話機１０６は、センサ１０７から取得した測定結果２０７に基づいて、その状態を判定し、生成された判定情報を音声読み上げ装置１０５に送信する。
【００３２】
また、図２では、着信側携帯電話機１０６が電話に応答する場合を例示したが、着信側携帯電話機１０６が着信応答せず、発信側携帯電話機１０１が電話を切る場合も基地局側の装置（ＭＳＣ１０２、リングバックトーン再生装置１０３、位置測定装置１０４、音声読み上げ装置１０５）は、同様のシーケンスで動作する。具体的には、発信側携帯電話機１０１は、オンフックすると、ＭＳＣ１０２に切断要求を含む応答をする。ＭＳＣ１０２は、切断要求を受信すると、リングバックトーン再生装置１０３に音声再生停止要求３１６を送信する。
【００３３】
図４は、本発明の実施の形態の着信側携帯電話機１０６の状態を判定する処理２０８の詳細のフローチャートである。
【００３４】
まず、状態判定装置１０４は、着信側携帯電話機１０６から測定結果２０７を受信すると、受信した測定結果２０７に対応する着信側携帯電話機１０６の状態を特定する。
【００３５】
例えば、センサ１０７が加速度センサ３０１である場合、加速度センサ３０１によって加速度が検出されないときは、着信側携帯電話機１０６の保持者が停止中であると判定できる。定期的に変化する加速度が検出されたときは、着信側携帯電話機１０６の保持者が歩行中であると判定できる。加速度の大きな変化があるときは、着信側携帯電話機１０６の保持者が乗物で移動中であると判定できる。これらの状態では、例えば、テキスト文「歩行中です」を判定情報２１０として出力する。
【００３６】
また、センサ１０７がＩＣタグ３０２である場合、着信側携帯電話機１０６の利用者が保持しているリーダと通信可能であるときは、着信側携帯電話機１０６は利用者が保持していると判定し、他のセンサ１０７の測定結果によって判定情報を生成する。一方、着信側携帯電話機１０６の利用者が保持しているリーダと通信不可能であるときは、着信側携帯電話機１０６は利用者が保持していないと判定し、例えば、テキスト文「携帯電話の近くにいません」を判定情報２１０として出力する。
【００３７】
さらに、センサ１０７がＩＣタグ３０２である場合、部屋の入口等に固定的に設置されたリーダの識別子に基づいて、着信側携帯電話機１０６の位置を特定し、特定された位置のテキスト文を判定情報２１０として出力する。特に、高いセキュリティが求められる部屋（例えば、会議室、コンピュータルームなど）の出入口設置されたリーダを設置することによって、追跡の困難な場所にいる場合でも位置情報を取得することができる。
【００３８】
また、センサ１０７が位置測位装置３０３である場合、ＧＰＳシステムなどの測位システムを用いて、携帯電話機の地理的な位置を取得し、取得された位置のテキスト文を判定情報２１０として出力する。
【００３９】
以上説明したように、本発明の実施の形態の携帯電話システムによると、特別な操作を必要とせず、電話をかけて来た相手に、自動的に自分の状態を教えることができる。さらに、発信者に通知される状態と再生する音声（又は、音楽）との対応表を予め作成せずに、自分の状態を発信者に教えることができる。これにより、ユーザは電話が掛かってくるだけで、着信者が移動中であるのか、端末を持っているのか、着信応答が可能な場所にいるかなど、どのような状態にあるかを発信者に知らせることができる。
【符号の説明】
【００４０】
１０１  発信側携帯電話機
１０２  交換機（ＭＳＣ）
１０３  リングバックトーン再生装置
１０４  状態判定装置
１０５  音声読み上げ装置
１０６  着信側携帯電話機
１０７  センサ
【図１】
2011259079.tif 000003
【図２】
2011259079.tif 000004
【図３】
2011259079.tif 000005
【図４】
2011259079.tif 000006